(57)【要約】【課題】音声信号記録装置で圧縮記録した音声信号を精度良く音声認識処理とし、リアルタイム処理及びバッチ処理のいずれの処理も可能な音声認識システムを提供する。【解決手段】音声信号入力部２１１からの音声信号を圧縮／伸張するコーデック変換部２１２と、コーデック変換部２１２に対し圧縮音声信号を記録再生する音声信号記録部２１３と、コーデック変換部２１２から出力する音声信号をテキストに変換する音声認識制御部２２２とを備え、音声認識制御部２２２は、音声信号入力部２１１からの音声信号を処理するリアルタイム処理、または音声信号記録部２１３からの再生音声信号を処理するバッチ処理の何れにおいても圧縮伸張が施された音声信号を入力として音声認識処理する。また、音声認識制御部２２２は、リアルタイム処理による音声入力を用いて、トレーニング作業を実行し、その結果をトレーニングデータ記録部２２３に記録する。【選択図】図１
2005321748.tif 000002
【特許請求の範囲】
【請求項１】
音声信号を入力する音声信号入力部と、音声信号を圧縮／伸張するコーデック変換部と、前記コーデック変換部に対して圧縮された音声信号を記録再生する音声信号記録部と、前記コーデック変換部から出力する音声信号を音声認識する音声認識制御部とを備え、
前記音声認識制御部は、前記音声信号入力部からの音声信号を処理するリアルタイム処理、または前記音声信号記録部から再生される音声信号を処理するバッチ処理の何れにおいても圧縮伸張が施された音声信号を入力として音声認識処理する音声認識システム。
【請求項２】
前記音声認識制御部は、前記リアルタイム処理による音声入力を用いて、トレーニング作業を実行し、トレーニングデータとして記録する請求項１記載の音声認識システム。
【請求項３】
前記コーデック変換部は、前記音声信号記録部の音声信号を伸張処理して出力し、前記音声認識制御部は、前記トレーニングデータに基づき、前記コーデック変換部からの音声信号をテキスト情報に変換することを特徴とする請求項２記載の音声認識システム。
【請求項４】
前記コーデック変換部は、前記音声信号記録部の音声信号をファイル情報として出力し、前記音声認識制御部は、前記トレーニングデータに基づき、前記コーデック変換部からのファイル情報をテキスト情報に変換することを特徴とする請求項２記載の音声認識システム。
【請求項５】
前記コーデック変換部は、前記音声信号入力部からの音声信号を圧縮／伸張処理して出力し、前記音声認識制御部は、前記トレーニングデータに基づき、前記コーデック変換部からの音声信号をテキスト情報に変換することを特徴とする請求項２記載の音声認識システム。
【請求項６】
データ記録部を備え、
前記コーデック変換部は、前記音声信号記録部の音声信号を前記データ記録部に転送及び記録し、前記データ記録部は記録した音声信号をファイル情報として出力し、前記音声認識制御部は、前記トレーニングデータに基づき、前記データ記録部からの音声信号をテキスト情報に変換することを特徴とする請求項２記載の音声認識システム。
【請求項７】
音声信号再生装置を備え、
前記音声信号再生装置は、前記コーデック変換部から出力された音声信号を復号処理して出力するコーデック復号部と、前記復号処理された音声信号を再生する音声信号再生部とを備え、前記音声認識制御部は、前記音声信号再生部からの音声信号をテキスト情報に変換することを特徴とする請求項２記載の音声認識システム。
【請求項８】
前記音声認識制御部は、前記音声信号記録部から出力された音声信号を無線により受信し、音声信号をテキスト情報に変換することを特徴とする請求項２記載の音声認識システム。
【請求項９】
通信制御装置を備え、
前記コーデック変換部から出力された音声信号を前記通信制御装置によって伝送し、前記音声認識制御部は、受信した音声信号をテキスト情報に変換すると共に、変換したテキスト情報を前記通信制御装置によって、前記音声信号記録部側にフィードバックし、音声認識結果を表示することを特徴とする請求項２記載の音声認識システム。
【請求項１０】
音声信号を入力する音声信号入力ステップと、音声信号を圧縮／伸張するコーデック変換ステップと、前記コーデック変換ステップに対して圧縮された音声信号を記録再生する音声信号記録ステップと、前記コーデック変換ステップから出力する音声信号を音声認識する音声認識制御ステップとを備え、
前記音声認識制御ステップは、前記音声信号入力ステップで入力する音声信号を処理するリアルタイム処理、または前記音声信号記録ステップで再生される音声信号を処理するバッチ処理の何れにおいても圧縮伸張が施された音声信号を入力として音声認識処理する音声認識方法。
【請求項１１】
前記音声認識制御ステップは、前記リアルタイム処理による音声入力を用いて、トレーニング作業を実行し、トレーニングデータとして記録する請求項１０記載の音声認識方法。
【請求項１２】
前記コーデック変換ステップは、前記音声信号記録ステップで再生される音声信号を伸張処理して出力し、前記音声認識制御ステップは、前記トレーニングデータに基づき、前記コーデック変換ステップからの音声信号をテキスト情報に変換することを特徴とする請求項１１記載の音声認識方法。
【請求項１３】
前記コーデック変換ステップは、前記音声信号記録ステップからの音声信号をファイル情報として出力し、前記音声認識制御ステップは、前記トレーニングデータに基づき、前記コーデック変換ステップからのファイル情報をテキスト情報に変換することを特徴とする請求項１１記載の音声認識方法。
【請求項１４】
前記コーデック変換ステップは、前記音声信号入力ステップからの音声信号を圧縮／伸張処理して出力し、前記音声認識制御ステップは、前記トレーニングデータに基づき、前記コーデック変換ステップからの音声信号をテキスト情報に変換することを特徴とする請求項１１記載の音声認識方法。
【請求項１５】
データ記録ステップを備え、
前記コーデック変換ステップは、前記音声信号記録ステップで再生された音声信号を転送及び記録し、前記データ記録ステップは記録した前記コーデック変換ステップからの音声信号をファイル情報として出力し、前記音声認識制御ステップは、前記トレーニングデータに基づき、前記データ記録ステップからの音声信号をテキスト情報に変換することを特徴とする請求項１１記載の音声認識方法。
【請求項１６】
音声信号再生ステップを備え、
前記音声信号再生ステップは、前記コーデック変換ステップから出力された音声信号を復号処理して出力するコーデック復号ステップと、前記復号処理された音声信号を再生する音声信号再生ステップとを備え、前記音声認識制御ステップは、前記音声信号再生ステップからの音声信号をテキスト情報に変換することを特徴とする請求項１１記載の音声認識方法。
【請求項１７】
前記音声認識制御ステップは、前記音声信号記録ステップから出力された音声信号を無線により受信し、音声信号をテキスト情報に変換することを特徴とする請求項１１記載の音声認識方法。
【請求項１８】
通信制御ステップを備え、
前記音声信号記録ステップから出力された音声信号を通信制御ステップによって伝送し、前記音声認識制御ステップは、受信した音声信号をテキスト情報に変換すると共に、変換したテキスト情報を前記通信制御ステップによって、前記音声信号記録ステップ側にフィードバックし、音声認識結果を表示することを特徴とする請求項１１記載の音声認識方法。
【請求項１９】
請求項１０から１８のいずれかに記載の音声識別方法の少なくとも一部をコンピュータで実行するためのプログラム。
【請求項２０】
請求項１０から１８のいずれかに記載の音声識別方法の少なくとも一部をコンピュータで実行するためのプログラムを記録したコンピュータ読み取り可能な記録媒体。
【発明の詳細な説明】
【技術分野】
【０００１】
本発明は、所定の処理が施された音声信号を音声認識によってテキスト情報に変換する音声認識システムおよび音声認識方法に関する。
【背景技術】
【０００２】
近年、喋った言葉を直接テキスト文に変換する音声認識ソフトウェアが一般に使用されつつあり、普及し始めている。この音声認識ソフトウェアは、パーソナルコンピューターなどにインストールされ、マイクロフォンを介して入力される音声信号に対して実行される。その際、音声認識させたい人の声の特徴を登録するトレーニング作業が必要で、認識精度の高い音声認識を行なうには不可欠な作業となっている。マイクロフォンを用いるトレーニングでは、従来、音声認識ソフトウェアのウイザード形式により、次々に文章がディスプレイ上に表示され、ユーザーは、その文章を読み上げることでマイクロフォンを通して音声入力し、ユーザーの声の特徴を登録するという方法が取られている。このウイザード形式のトレーニングでは、表示された文章をユーザーが正しく読むとハイライト表示する機能が組み込まれ、間違った文章を読み上げると先に進めないため、精度の高いトレーニングが可能である。
【０００３】
また、特許文献１に、従来例の音声認識によるディクテーション装置およびディクテーション方法が開示されている。この従来例のディクテーション方法を用いれば、音声認識装置側に、音声記録部を設置し、マイクロフォンなどを通して喋った音声を録音できる機能を有するため、音声認識によって得られたテキスト文と、音声認識装置側に録音した音声データを再生して比較することで、文章の校正が行い易いという利点がある。
【０００４】
一方、ＩＣレコーダーなどの音声信号記録装置に記録した音声データを音声認識させる方法としては、前記トレーニング作業が、音声認識ソフトウェアのウイザード形式では、録音済みの音声データからは実行できないため、予め用意された１５分から２０分程度の文章を読み上げた音声データを準備し、音声認識ソフトウェアは、その文章と録音データを用いてトレーニング作業を行なうという方法が採られている。
【特許文献１】特開２０００−２５０５８４号公報
【発明の開示】
【発明が解決しようとする課題】
【０００５】
しかしながら、上述の予め用意された文章を読み上げるトレーニング方法では、指定された文章を誤って読み上げても、そのまま読み続けるしかなく、おのずと認識精度の向上には、限界があり、マイクロフォンによる音声認識と比べて、用途は限られていた。また、このＩＣレコーダーなどの音声信号記録装置による音声認識の方法では、喋った言葉をリアルタイムに音声認識させることができなかった。
【０００６】
また、特許文献１に記載された従来例の音声認識方法では、マイクロフォンでなく、ＩＣレコーダーなどの音声信号記録装置に録音した音声信号の音声認識を、マイクロフォンを介した音声認識と同精度で実施することができなかった。また、従来の技術では、文章の校正を行なう際に、音声認識装置が必ず必要となり、音声認識したテキスト文と、その音声データを持ち出して、外部で作業をする場合、別途、変換やデータ転送作業を行なう必要があり手間であった。
【０００７】
本発明は上記従来の課題を解決するもので、ＩＣレコーダーなどの音声信号記録装置を用いて記録した音声データ（あるいは、所定の圧縮伸張処理が施された音声データ）を、マイクロフォンを用いて音声認識を行なった場合と同精度の音声認識を可能とし、しかも、ＩＣレコーダーなどの音声信号記録装置を用いて、喋った言葉をリアルタイムに音声認識することを可能にすると共に、音声認識したテキスト文と音声データとを、外部に簡単に持ち出すことのできる、音声認識システム及び音声認識方法を提供することを目的とする。
【課題を解決するための手段】
【０００８】
上記課題を解決するため本発明の音声認識システムは、音声信号を入力する音声信号入力部と、音声信号を圧縮／伸張するコーデック変換部と、コーデック変換部に対して圧縮された音声信号を記録再生する音声信号記録部と、コーデック変換部から出力する音声信号を音声認識する音声認識制御部とを備え、音声認識制御部は、音声信号入力部からの音声信号を処理するリアルタイム処理、または音声信号記録部から再生される音声信号を処理するバッチ処理の何れにおいても圧縮伸張が施された音声信号を入力として音声認識処理するものである。特に、音声認識制御部は、リアルタイム処理による音声入力を用いて、トレーニング作業を実行し、トレーニングデータとして記録する。
【０００９】
これによって、圧縮伸張処理が施された音声信号を、リアルタイム処理またはバッチ処理を問わず、高精度にテキスト情報に変換することが可能となる。
【発明の効果】
【００１０】
本発明によれば、音声信号に所定の処理を施すＩＣレコーダーなどの音声信号記録装置でのリアルタイムでの音声認識を可能とし、記録した音声データも、マイクロフォンによる音声認識と同程度の高精度で音声認識できると共に、音声認識によって得られたテキスト文と、その音声データを手軽に外部に持ち出せるという優れた効果が得られる。
【発明を実施するための最良の形態】
【００１１】
本発明の請求項１に記載の発明は、音声信号を入力する音声信号入力部と、音声信号を圧縮／伸張するコーデック変換部と、前記コーデック変換部に対して圧縮された音声信号を記録再生する音声信号記録部と、前記コーデック変換部から出力する音声信号を音声認識する音声認識制御部とを備え、前記音声認識制御部は、前記音声信号入力部からの音声信号を処理するリアルタイム処理、または前記音声信号記録部から再生される音声信号を処理するバッチ処理の何れにおいても圧縮伸張が施された音声信号を入力として音声認識処理する音声認識システムである。前記リアルタイム処理時は、元来、音声信号記録装置へ音声信号を録音する際に録音機能が間違いなく機能していることを監視する機能であり、録音の失敗が許されない状況で効果を発揮する機能である音声モニター機能を用いる。そのため、音声モニター機能は、確実に録音が行なわれているという監視の機能が目的の全てであり、その役目以上に活用するということは、その性格上、容易に類推できなかった。本発明は、この音声モニター機能による出力信号を用いて、リアルタイム処理による音声認識を行なうことができとともに、音声信号記録部に記録された音声信号を用いるバッチ処理による音声認識も行なうことができる。
【００１２】
請求項２に記載の発明は、前記音声認識制御部は、前記リアルタイム処理による音声入力を用いて、トレーニング作業を実行し、トレーニングデータとして記録する請求項１記載の音声認識システムである。これにより、音声モニター機能による出力信号を用いて、音声認識のトレーニングをリアルタイムで行なうことができるので、精度の高い音声認識を可能とするものである。
【００１３】
請求項３に記載の発明は、前記コーデック変換部は、前記音声信号記録部の音声信号を伸張処理して出力し、前記音声認識制御部は、前記トレーニングデータに基づき、前記コーデック変換部からの音声信号をテキスト情報に変換することを特徴とする請求項２記載の音声認識システムである。これにより、ユーザーが音声信号記録部に録音した録音済みの音声信号を再生するだけで、その音声信号をテキスト文に変換できる。
【００１４】
請求項４に記載の発明は、前記コーデック変換部は、前記音声信号記録部の音声信号をファイル情報として出力し、前記音声認識制御部は、前記トレーニングデータに基づき、前記コーデック変換部からのファイル情報をテキスト情報に変換することを特徴とする請求項２記載の音声認識システムである。これにより、ユーザーは、音声信号記録部に保存した音声信号を再生せずとも、ファイル変換としてテキスト文が生成でき、テキスト文の作成時間短縮に有効である。
【００１５】
請求項５に記載の発明は、前記コーデック変換部は、前記音声信号入力部からの音声信号を圧縮／伸張処理して出力し、前記音声認識制御部は、前記トレーニングデータに基づき、前記コーデック変換部からの音声信号をテキスト情報に変換することを特徴とする請求項２記載の音声認識システムである。これにより、ユーザーは、従来のＩＣレコーダーなどの音声信号記録装置では実現できなかったリアルタイムでの音声認識が可能となる。
【００１６】
請求項６に記載の発明は、データ記録部を備え、前記コーデック変換部は、前記音声信号記録部の音声信号を前記データ記録部に転送及び記録し、前記データ記録部は記録した音声信号をファイル情報として出力し、前記音声認識制御部は、前記トレーニングデータに基づき、前記データ記録部からの音声信号をテキスト情報に変換することを特徴とする請求項２記載の音声認識システムである。これにより、ユーザーは、限りある音声信号記録部のメモリーサイズを開放し、新たなメモリー空間を得ることができると共に、音声認識させるためのデータ転送時間が不要となることで、より高速なテキスト変換処理が可能となる。
【００１７】
請求項７に記載の発明は、音声信号再生装置を備え、前記音声信号再生装置は、前記コーデック変換部から出力された音声信号を復号処理して出力するコーデック復号部と、前記復号処理された音声信号を再生する音声信号再生部とを備え、前記音声認識制御部は、前記音声信号再生部からの音声信号をテキスト情報に変換することを特徴とする請求項２記載の音声認識システムである。これにより、ユーザーは、ＩＣレコーダーなどの音声信号記録装置からの音声信号のデータを圧縮したまま送信し、音声認識装制御部が受信した音声信号データを復号して処理することができるので、音声信号のデータ転送量を少なく抑えることができ、より高速なテキスト変換処理が可能となる。
【００１８】
請求項８に記載の発明は、前記音声認識制御部は、前記音声信号記録部から出力された音声信号を無線により受信し、音声信号をテキスト情報に変換することを特徴とする請求項２記載の音声認識システムである。これにより、ユーザーは、音声信号記録部と音声認識制御部が、ケーブルで接続されておらず、離れていてもテキスト変換処理が可能となる。
【００１９】
請求項９に記載の発明は、通信制御装置を備え、前記コーデック変換部から出力された音声信号を通信制御装置によって伝送し、前記音声認識制御部は、受信した音声信号をテキスト情報に変換すると共に、変換したテキスト情報を前記通信制御装置によって、前記音声信号記録部側にフィードバックし、音声認識結果を表示することを特徴とする請求項２記載の音声認識システムである。これにより、ユーザーは、通信制御装置が動作する場所であればどこであっても、音声信号記録装置から出力した音声信号を送信して、離れた場所にある音声認識制御装置からテキスト変換処理の結果を受信し、表示できる。
【００２０】
また、本発明は上記音声認識システムを音声認識方法として実施する可能であり、更に、コンピュータで実行可能なプログラム、及びプログラムを記録したコンピュータで読み取り可能な記録媒体とするものである。
【００２１】
以下、本発明の実施の形態による音声認識システム及び音声認識方法について、図面を用いて説明する。
【００２２】
（実施の形態１）
図1〜図３を用いて、本発明の実施の形態１による音声認識システムおよび音声認識方法を説明する。
【００２３】
図１は、本発明の実施の形態１による音声認識方法を実現する音声認識システムの構成を示すシステム構成図である。
【００２４】
図１において、１０１は、ＩＣレコーダーに代表される音声信号記録装置であり、音声信号を出力するためのイアホン端子Ｔ１を有する。１０２は、パーソナルコンピュータ（以下、ＰＣと称す）であり、音声認識ソフトウェア１０３が実行可能な状態でインストールされており、マイク端子（または、ラインイン端子）Ｔ２を有する。１０４は、オーディオコードであり、音声信号記録装置１０１のイアホン端子Ｔ１と、ＰＣ１０２のマイク端子Ｔ２を接続している。
【００２５】
ここで、音声信号記録装置１０１は、音声モニター機能を備えており、入力した音声信号は、所定のコーデック処理が施されて、例えばデジタル音声ファイルに変換し、音声信号記録装置１０１に記録される。また、記録と同時に、記録したコーデックの音質で、イアホン端子Ｔ１から出力する。即ち、イアホン端子Ｔ１から出力される音声信号は、記録した信号のモニター信号となる。音声信号記録装置１０１から出力された音声信号は、オーディオコード１０４を介して、ＰＣ１０２のマイク端子Ｔ２からＰＣ１０２内に取り込まれ、ＰＣ１０２にインストールしている音声認識ソフトウェア１０３が、この音声信号を処理する。音声認識ソフトウェア１０３は、処理した音声信号をＰＣ１０２のディスプレイ上にテキスト文として表示したり、テキストファイルとして保存したりする。
【００２６】
図２は、本発明の実施の形態１による音声認識方法を実現するための音声信号記録装置と音声認識装置からなる音声認識システムの構成を示すブロック図である。
【００２７】
図２において、音声信号記録装置２１０は、マイクロフォンと増幅器などからなる音声信号入力部２１１と、音声信号入力部２１１からの音声信号に対して圧縮処理や伸張処理を施すコーデック変換部２１２と、コーデック変換部２１２で圧縮されて音声信号を半導体メモリー等に記録する音声信号記録部２１３と、音声信号記録部２１３に記録さえた音声信号を再生しコーデック変換部２１２で伸張処理した音声信号をイアホンなどの外部出力装置に出力する音声信号出力部２１４とを有する。ここで、音声信号記録部２１３は、音声信号記録装置２１０に内蔵されるバッファ的なメモリーでもよく、また着脱可能なメモリーカードの様な記録媒体であってもよい。
【００２８】
音声認識装置２２０は、上述のＰＣ１０２に代表される音声認識ソフトウェアを含み、音声認識機能を有する装置である。音声認識装置２２０は、マイク端子あるいはオーディオ信号のラインイン端子である音声信号入力部２２１と、音声認識ソフトウェアをＣＰＵなどの資源が実行することで実現される音声認識制御部２２２と、音声認識の精度を向上させるために用いるトレーニングデータを保存管理するトレーニングデータ記録部２２３と、ディスプレイ装置としての表示部２２４と、ハードディスク等のデータ記録部２２５とを有する。ここで、トレーニングデータ記録部２２３とデータ記録部２２５は同じ記録媒体（不揮発性のメモリーやハードディスクや光ディスク）であってもよい。
【００２９】
音声信号記録装置２１０の音声信号出力部２１４と音声認識装置２２０の音声入力部２２１とはアナログ伝送を行なうためのオーディオコード等で接続することができる。また、コーデック変換部２１２とデータ記録部２２５とは、データ伝送を行なうためのシリアルバス等で接続することができる。
【００３０】
また、印刷装置２３０は、音声認識装置２２０によって得られたテキスト情報などの結果を、音声認識制御部２２２の制御に従って印刷する。
【００３１】
以上のように構成された、音声認識システムの動作（音声認識方法）について、図３に示すフローチャートを用いて説明する。
【００３２】
音声認識処理の実行を開始すると、ステップＳ３０１で、音声認識制御部２２２は、音声認識させたい人の声の特徴を登録したトレーニングデータがトレーニングデータ記録部２２３に保存されているかどうかを判別する。既にトレーニングデータがあれば、ステップＳ３０５に進み、トレーニングデータが無ければ、トレーニング処理（Ｓ３０２〜Ｓ３０４）に入る。
【００３３】
ステップＳ３０２で、音声信号記録装置２１０をモニター機能に設定する。モニター機能は、音声信号入力部２１１からの音声信号がコーデック変換部２１２において圧縮及び伸張処理が施され、音声信号出力部２１４より出力される機能である。これにより、通常のマイク出力とは異なり、実際に記録されたデータと同様のコーデック処理が施された音質を得ることができる。この場合、入力された音声信号を音声信号記録部２１３に記録しても、しなくてもよい。
【００３４】
ステップＳ３０３で、音声認識制御部２２２は、表示部２２４にテキスト文を表示させるとともに、音声信号入力部２２１を介して入力される音声信号を用いてトレーニング作業が実行される。トレーニングで得られたデータは、ステップＳ３０４でトレーニングデータ記録部２２３に記録される。
【００３５】
ここから、実際の音声認識処理が実行される訳であるが、処理方法として幾つかの方法が存在する。まずステップＳ３０５でトレーニングデータが選択され、トレーニングデータ記録部２２３に保存されているトレーニングデータが音声認識部２２２に設定される。次の処理としてユーザーは、ステップＳ３０６〜Ｓ３０８の方法のいずれかを採用することができる。ステップＳ３０６は、リアルタイム処理として、トレーニング処理と同様にモニター機能で音声信号を音声認識制御部２２２に入力する方法である。ステップＳ３０７は、バッチ処理として、予め音声信号記録部２１３に記録された音声信号を再生して音声認識制御部２２２に入力する方法である。また、ステップＳ３０８は、ファイルでのバッチ処理として、音声信号記録部２１３またはデータ記録部２２５に記録された音声信号をファイル形式で音声認識制御部２２２に入力する方法である。
【００３６】
ステップＳ３０６〜Ｓ３０８のいずれかの方法により音声認識制御部２２２に音声認識するためのデータが入力され、トレーニングデータ記録部２２３からのトレーニングデータに基づき音声認識処理が施される。ステップＳ３０９での音声認識処理に引き続き、ステップＳ３１１〜Ｓ３１２の少なくとも１つが実行される。ステップＳ３１０の実行を指示した場合は、印刷装置２３０よりテキスト文が印字される。ステップＳ３１１は通常実行されることが多く、表示部２２４にテキスト文を表示する。また、ステップＳ３１２は、テキスト文をデータ（テキストファイル）としてデータ記録部２２５に出力する。
【００３７】
（実施の形態２）
次に、図４、図５を用いて、本発明の実施の形態２による音声認識システムおよび音声認識方法を説明する。
【００３８】
図４は、本発明の実施の形態２による音声認識方法を実現する音声認識システムの構成を示すシステム構成図である。
【００３９】
前記図１で示した実施の形態１との違いは、音声信号記録装置４０１とパーソナルコンピューター４０２との接続が、オーディオコードでなく、ＵＳＢケーブル４０５となり、音声信号を圧縮したままデータを転送し、パーソナルコンピューター４０２にインストールしている音声再生ソフトウェア４０３が、受信した音声信号を復号して再生し、音声認識ソフトウェア４０４が、この音声信号を処理していることである。その他の動作は、実施の形態1と同じであるため、説明を省略する。
【００４０】
図５は、本発明の実施の形態２による音声認識方法を実現するための音声信号記録装置と音声認識装置からなる音声認識システムの構成を示すブロック図である。
【００４１】
前記図２で示した実施の形態１との違いは、音声信号再生装置５４０にある。図２の実施の形態１では、音声認識装置２２０は、音声信号記録装置２１０から直接、音声信号を受信し、音声認識処理を実施していたが、実施の形態２における図５では、圧縮された音声信号を音声信号再生装置５４０が受信し、復号して再生し、その再生信号を受信して音声認識処理を実施している点である。このように、実施の形態２では、圧縮された音声信号を、音声信号再生装置５４０が、コーデック復号部５４１によって音声信号を復号し、復号した音声信号を音声信号再生部５４２が再生することで、音声信号記録装置５１０から送信される音声信号のデータ量を抑制することができる。よって、コーデック変換部５１２とコーデック復号部５４１の間がＵＳＢによる伝送となる。その他の動作は、実施の形態1と同じであるため、説明を省略する。
【００４２】
（実施の形態３）
次に、図６を用いて、本発明の実施の形態３による音声認識システムおよび音声認識方法を説明する。
【００４３】
図６は、本発明の実施の形態３による音声認識方法を実現する音声認識システムの構成を示すシステム構成図である。
【００４４】
前記図４で示した実施の形態２との違いは、音声信号記録装置６０１とパーソナルコンピューター６０２との接続が、ＵＳＢケーブルでなく、無線受信装置６０５としている点である。無線とすることで、音声信号装置６０１とパーソナルコンピューター６０２との接続が有限なケーブル長に制限されず、自由に移動可能となる。構成については省略するが、図５に示すコーデック変換部５１２とコーデック復号部の間に無線送信装置と無線受信装置６０２が介在することになる。その他の動作は、実施の形態２と同じであるため、説明を省略する。
【００４５】
（実施の形態４）
次に、図７、図８を用いて、本発明の実施の形態４による音声認識システムおよび音声認識方法を説明する。
【００４６】
図７は、本発明の実施の形態４による音声認識方法を実現する音声認識システムの構成を示すシステム構成図である。
【００４７】
前記実施の形態1〜３との違いは、パーソナルコンピューターを２台有し、クライアント側のパーソナルコンピューター７０２Ａとサーバー側のパーソナルコンピューター７０２Ｂ間を、インターネット７００を通じて、情報の通信を制御するように構成した点である。クライアント側のパーソナルコンピューター７０２Ａには、通信を行なうための制御ソフトウェア７０３Ａと、音声認識結果を表示するソフトウェア７０６をインストールしている。サーバー側のパーソナルコンピューター７０２Ｂには、通信制御ソフトウェア７０３Ｂ、音声再生ソフトウェア７０４、音声認識ソフトウェア７０５をインストールしている。
【００４８】
本実施の形態における音声認識システムでは、音声信号を通信制御ソフトウェア７０３Ａ，７０３Ｂを介して送受信し、クライアント側のパーソナルコンピューター７０２Ａ上に、サーバー側から送られてきた音声認識の結果を表示するという動作を実現する。その他は、実施の形態１〜３と同じであるため、その説明を省略する。
【００４９】
図８は、本発明の実施の形態４による音声認識方法を実現するための音声信号記録装置と音声認識装置からなる音声認識システムの構成を示すブロック図である。
【００５０】
前記実施の形態１〜３との違いは、通信制御装置Ａ８５０、通信制御装置Ｂ８６０、および音声認識結果表示装置８７０にある。実施の形態４では、通信回線を用いて音声信号を送受信し、音声認識制御部８２２によって得られた音声認識結果を音声認識結果表示装置８７０で表示する。このように、実施の形態４では、通信回線さえ接続されていれば、場所を問わず、通信制御装置が動作する場所であればどこであっても、音声信号記録装置から出力した音声信号を送信して、離れた場所にある音声認識制御装置からテキスト変換処理の結果を受信し、表示できる。この例では、通信制御装置Ａ８５０と音声認識結果表示装置８７０がパーソナルコンピューター７０２Ａにあり、通信制御装置Ｂ８６０がパーソナルコンピューター７０２Ｂにある場合を示している。その他の動作は、実施の形態1〜３と同じであるため、説明を省略する。
【００５１】
以上のように本発明によれば、音声信号記録装置の音声モニター機能を用いて、音声認識させたい人の声の特徴を登録するトレーニングが録音品質で行なえるように、音声認識ソフトウェアとの連動をシステム化したことで、従来実現できなかった音声信号記録装置を用いたリアルタイムの音声認識が可能となり、音声信号記録装置の音声信号記録部に保存した音声ファイルからも、従来に比べて大幅に高精度な音声認識を実現できるという優れた効果を奏する。
【００５２】
さらに、本発明の音声認識方法を用いれば、次のような効果も奏する。すなわち、技術論文などの専門性を有する文章等は、音声認識ソフトウェアが不得手するところで、必ずしも認識率は高いとは言えなかったが、本発明の音声認識方法を用いることで、実用的な対応が可能となる。その実用的な対応とは、本発明の音声認識方法を用いて、テキスト化した文章と同時に、音声信号記録装置に保存した音声ファイルを用いて、相互に補完し、正確な文章を作成することが実施できることである。特に、本発明の様なシステム構成によれば、テキスト化した文章を印刷し、また、その文章に対応する音声ファイルを録音した音声信号記録装置とを外部に持ち出して、校正することが可能である。従って、校正時に、音声認識ソフトウェア（音声認識装置）を必要としないため、パーソナルコンピューターを持ち出すことが不要になり、校正を外部委託するなど校正する人を限定せずに実施することが、非常に容易である。
【００５３】
また、本発明の音声認識方法を用いれば、次のような効果も奏する。すなわち、音声信号記録装置が、携帯電話などの通信機器である場合、携帯電話の音質で、音声認識のトレーニングを実施し、登録しておけば、携帯電話などの通話をリアルタイムにテキスト文に変換することが可能となる。また、一旦、携帯電話に保存した音声ファイルを後で、音声認識によって文章化するといった使い方も可能になる。これは、例えば、出張報告や、報道記者などのレポート報告などを行なう時、非常に有効な手段となり、実用性が高い。
【００５４】
なお、本発明の実施の形態では、音声モニター機能を有する音声信号記録装置を用いたが、これは音声信号だけを取り扱う記録装置に限らず、音声信号を含むデータであれば良く、音声データの他に画像データや動画データ又はテキストデータなどを含んでいても良く、リアルタイムで伝送されてくる音声データストリームなどを記録する装置であっても良い。
【００５５】
また、本発明の実施の形態では、音声信号記録装置の音声モニター機能を用いて、音声認識のトレーニングを実施したが、音声信号記録装置をマイクロフォンのように使用し、喋った言葉を音声信号記録装置に記録せず、音声出力部から出力した音声信号で、音声認識のトレーニングを実施しても良いことは言うまでもない。
【００５６】
さらに、本発明の実施の形態では、音声信号記録装置に入力された音声信号を用いて音声認識のシステムを構成しているが、入力される音声信号は、音声信号記録装置ではなく、音声認識装置側にあり、音声信号認識装置側から音声信号記録装置へ同時に録音される構成であっても良い。
【００５７】
上記の方法を実行するプログラムの全て又は少なくとも一部を、例えばＩＣレコーダー、オーディオ装置、ホームビジュアルシステム装置、ネットワークを利用した音響再生装置やビデオカメラ、及び音声データファイルを取り扱うＰＣアプリケーションに読み込み実行させることにより、これらの装置やＰＣアプリケーションを音声信号の音声認識装置システムとして機能させることができる。また、音声認識ソフトウェアは、パーソナルコンピューター上のＰＣアプリケーションに限られるものではなく、音声認識機能を有する装置であっても良く、音声信号記録装置に、音声認識機能が組み込まれていても良い。
【産業上の利用可能性】
【００５８】
本発明の音声認識システムおよび音声認識方法は、音声信号に所定の処理を施す音声信号記録装置からのリアルタイム処理によるテキスト文の作成や、記録した音声信号からバッチ処理により正確な文章を作成することができ、ＩＣレコーダーやオーディオレコーダなどの音響機器、携帯電話などの通信機器に応用可能であり、またコンピュータおよびソフトウェアとして有用である。
【図面の簡単な説明】
【００５９】
【図１】本発明の実施の形態１による音声認識システムの構成を示すシステム構成図
【図２】同実施の形態１による音声認識システムの構成を示すブロック図
【図３】同実施の形態１による音声認識方法の動作を示すフローチャート
【図４】同実施の形態２による音声認識システムの構成を示すシステム構成図
【図５】同実施の形態２による音声認識システムの構成を示すブロック図
【図６】同実施の形態３による音声認識システムの構成を示すシステム構成図
【図７】同実施の形態４による音声認識システムの構成を示すシステム構成図
【図８】同実施の形態４による音声認識システムの構成を示すブロック図
【符号の説明】
【００６０】
１０１、２１０    音声信号記録装置
１０２    パーソナルコンピューター
１０３    音声認識ソフトウェア
１０４    オーディオコード
２１１    音声信号入力部
２１２    コーデック変換部
２１３    音声信号記録部
２１４    音声信号出力部
２２０    音声認識装置
２２１    音声信号入力部
２２２    音声認識制御部
２２３    トレーニングデータ記録部
２２４    表示部
２２５    データ記録部
２３０    印刷装置
【図１】
2005321748.tif 000003
【図２】
2005321748.tif 000004
【図３】
2005321748.tif 000005
【図４】
2005321748.tif 000006
【図５】
2005321748.tif 000007
【図６】
2005321748.tif 000008
【図７】
2005321748.tif 000009
【図８】
2005321748.tif 000010